(57)【要約】      （修正有）【課題】携帯電話機ベースのユーザ認証システムおよび方法を提供する。【解決手段】複数の、ユーザに関連する携帯電話番号と支払データを含むデータ・レコードが、データ記憶装置に保存される。ユーザに関連する携帯電話機の電話番号を含むログイン・データが、ドキュメント処理装置に関連するユーザ・インターフェイス等を介して、受け取られる。受け取られたログイン・データに対応するデータ・レコードがデータ記憶装置に存在するか否かが判定され、存在すると判定された後、ドキュメント処理装置の操作の受け取りが開始される。次いで、含まれる電話番号に対応する携帯電話機に対して、データ・メッセージが送信される。送信したデータ・メッセージに対する応答として、携帯電話機から確認データが受信され、受信された確認データにしたがって、ドキュメント処理装置の動作が実行される。【選択図】図８
2010044754.tif 000002
【特許請求の範囲】
【請求項１】
それぞれのデータ・レコードが、携帯電話番号と、この携帯電話番号に関連付けられ予め設定された支払方法に対応する支払データとを含む、複数のデータ・レコードを保存するデータ記憶部と、
ドキュメント処理装置に関連し、ユーザに関連する携帯電話機の携帯電話番号を含むログイン・データを取得するユーザ・インターフェイスと、
このユーザ・インターフェイスによって取得されたログイン・データに対応するデータ・レコードの存在を求めて前記データ記憶部を検索する比較器と、
この比較器が前記ログイン・データに対応するデータ・レコードが前記データ記憶部内に存在すると判定した場合、前記比較器の出力によって動作可能状態となる開始メカニズムと、
前記ログイン・データに含まれる前記携帯電話番号に対応する前記携帯電話機に対するデータ・メッセージを送信するデータ通信部と、
前記データ・メッセージに応答して前記携帯電話機から受信される確認データにしたがって、関連するドキュメント処理装置の動作を進行させるドキュメント処理部と
を備えることを特徴とする携帯電話機ベースのユーザ認証システム。
【請求項２】
前記ドキュメント処理動作に関連する料金に対応するコスト・データを生成するコスト・データ生成器を、さらに、備えることを特徴とする請求項１に記載の携帯電話機ベースのユーザ認証システム。
【請求項３】
前記携帯電話番号に関連する前記予め設定された支払方法にしたがって前記料金を課金する料金課金器を、さらに、備えることを特徴とする請求項２に記載の携帯電話機ベースのユーザ認証システム。
【請求項４】
受信された前記確認データに含まれる携帯電話番号または前記確認データの内容にしたがって、受信された前記確認データの信憑性を検証する信憑性検証器を、さらに、備えることを特徴とする請求項３に記載の携帯電話機ベースのユーザ認証システム。
【請求項５】
前記データ・メッセージは、前記コスト・データを含むことを特徴とする請求項４に記載の携帯電話機ベースのユーザ認証システム。
【請求項６】
前記予め設定された支払方法に対応する支払データは、クレジット・カード、またはデビット・カード、または前払口座の情報を含むことを特徴とする請求項５に記載の携帯電話機ベースのユーザ認証システム。
【請求項７】
それぞれのデータ・レコードが、携帯電話番号と、この携帯電話番号に関連付けられ予め設定された支払方法に対応する支払データとを含む、複数のデータ・レコードをデータ記憶装置に保存するステップと、
ドキュメント処理装置に関連するユーザ・インターフェイスを介して、ユーザに関連する携帯電話機の電話番号を含むログイン・データを受け取るステップと、
受け取られたログイン・データに対応するデータ・レコードが前記データ記憶装置内に存在するか否かをテストするテスト・ステップと、
このテスト・ステップにおいて、前記受け取られたログイン・データに対応するデータ・レコードが前記データ記憶装置内に存在すると判定された場合に、前記ドキュメント処理装置の操作の受け取りを開始するステップと、
前記ログイン・データに含まれる前記携帯電話番号に対応する前記携帯電話機に対してデータ・メッセージを送信するステップと、
前記携帯電話機から前記データ・メッセージに対する応答として、確認データを受信するステップと、
受信された前記確認データにしたがって前記ドキュメント処理装置における動作を実行するステップと
を含むことを特徴とする携帯電話機ベースのユーザ認証方法。
【請求項８】
前記ドキュメント処理動作に関連する料金に対応するコスト・データを生成するステップを、さらに、含むことを特徴とする請求項７に記載の携帯電話機ベースのユーザ認証方法。
【請求項９】
前記携帯電話番号に関連する前記予め設定された支払方法にしたがって前記料金を課金するステップを、さらに、含むことを特徴とする請求項８に記載の携帯電話機ベースのユーザ認証方法。
【請求項１０】
受信された前記確認データに含まれる携帯電話番号または前記確認データの内容にしたがって、受信された前記確認データの信憑性を検証するステップを、さらに、含むことを特徴とする請求項９に記載の携帯電話機ベースのユーザ認証方法。
【請求項１１】
前記データ・メッセージは、前記コスト・データを含むことを特徴とする請求項１０に記載の携帯電話機ベースのユーザ認証方法。
【請求項１２】
前記予め設定された支払方法に対応する支払データは、クレジット・カード、またはデビット・カード、または前払口座の情報を含むことを特徴とする請求項１１に記載の携帯電話機ベースのユーザ認証方法。
【請求項１３】
それぞれのデータ・レコードが、携帯電話番号と、この携帯電話番号に関連付けられ予め設定された支払方法に対応する支払データとを含む、複数のデータ・レコードを保存するデータ記憶手段と、
ドキュメント処理装置に関連するユーザ・インターフェイスと、
この前記ユーザ・インターフェイスを介して、ユーザに関連する携帯電話機の電話番号を含むログイン・データを受け取る手段と、
受け取られたログイン・データに対応するデータ・レコードが前記データ記憶手段内に存在するか否かをテストするテスト手段と、
このテスト手段によって、前記受け取られたログイン・データに対応するデータ・レコードが前記データ記憶手段内に存在すると判定された場合に、前記ドキュメント処理装置の操作の受け取りを開始する手段と、
前記ログイン・データに含まれる前記携帯電話番号に対応する前記携帯電話機に対してデータ・メッセージを送信する手段と、
前記携帯電話機から前記データ・メッセージに対する応答として、確認データを受信する手段と、
受信された前記確認データにしたがって前記ドキュメント処理装置における動作を実行する手段と、
を備えることを特徴とする携帯電話機ベースのユーザ認証システム。
【請求項１４】
前記ドキュメント処理動作に関連する料金に対応するコスト・データを生成する手段を、さらに、備えることを特徴とする請求項１３に記載の携帯電話機ベースのユーザ認証システム。
【請求項１５】
前記携帯電話番号に関連する前記予め設定された支払方法にしたがって前記料金を課金する手段を、さらに、備えることを特徴とする請求項１４に記載の携帯電話機ベースのユーザ認証システム。
【請求項１６】
受信された前記確認データに含まれる携帯電話番号または前記確認データの内容にしたがって、受信された前記確認データの信憑性を検証する手段を、さらに、備えることを特徴とする請求項１５に記載の携帯電話機ベースのユーザ認証システム。
【請求項１７】
前記データ・メッセージは、前記コスト・データを含むことを特徴とする請求項１６に記載の携帯電話機ベースのユーザ認証システム。
【請求項１８】
前記予め設定された支払方法に対応する支払データは、クレジット・カード、またはデビット・カード、または前払口座の情報を含むことを特徴とする請求項１７に記載の携帯電話機ベースのユーザ認証システム。
【発明の詳細な説明】
【技術分野】
【０００１】
本発明は、ユーザ認証システムおよび方法に関し、特に、ドキュメント処理装置の利用におけるユーザ認証システムおよび方法に関する。
【背景技術】
【０００２】
コンピュータ、ワークステーション、コピー機、プリンタ、ファクシミリ装置等の多くの装置、ならびに販売装置、サービス装置およびＡＴＭ等の多くの共用装置は、セキュリティ面で安全な動作のために、ユーザが情報を入力することを必要とする。ユーザＩＤおよびパスワード等の情報は、多くの異なる機能を果たす。このような情報は、装置を使用可能な者を制限し、装置の使用を追跡するメカニズムを提供し、装置の使用に関連する料金の課金を可能とする。ユーザは、このような装置を使用するためのみならず、ウェブ・ベースのアカウントおよびオンライン購入等のデータベースにアクセスするために、多数のログイン・シーケンスを記憶しなければならない。ユーザの機密の、個人的な、または金銭的な情報にアクセスするサービスを要求する人物を認証するためには、さらに他のシーケンスを思い出さなければならない。
【０００３】
文字列等のシーケンスを記憶しなければならない多数の状況は、通常使用されるユーザ名およびパスワード等の項目に対する様々な要件によって、さらに煩雑なものになる。場所に応じて変化する最小限の数の文字を必要とするサイトも存在する。サイトは、それぞれのユーザごとに一意的な識別子も要求する。このように、ユーザは、多くの状況において、アクセスするために同一の情報を常に使用することが困難であり、装置またはサービスにアクセスするために記憶しなければならないログイン・シーケンスの数を低減したシステムまたは方法が望まれている。
【発明の概要】
【発明が解決しようとする課題】
【０００４】
本発明は、上記のニーズに鑑みてなされたもので、携帯電話機ベースのユーザ認証システムおよび方法を提供することを目的とする。
【課題を解決するための手段】
【０００５】
本発明の実施形態による携帯電話機ベースのユーザ認証システムおよび方法においては、複数のデータ・レコードがデータ記憶装置に保存される。ここで、それぞれのデータ・レコードは、携帯電話番号と、この携帯電話番号に関連付けられ予め設定された支払方法に対応する支払データとを含む。ユーザに関連する携帯電話機の電話番号を含むログイン・データが、ドキュメント処理装置に関連するユーザ・インターフェイスを介して、ユーザから受け取られる。受け取られたログイン・データに対応するデータ・レコードがデータ記憶装置内に存在するか否かがテストされ、受け取られたログイン・データに対応するデータ・レコードがデータ記憶装置内に存在すると判定された場合に、ドキュメント処理装置の操作の受取りが開始される。データ・メッセージが、ログイン・データに含まれる携帯電話番号に対応する携帯電話機に対して送信される。データ・メッセージに応答し、確認データが携帯電話機から受信され、受信された確認データにしたがって、ドキュメント処理装置における動作が実行される。
【発明の効果】
【０００６】
本発明によれば、携帯電話機ベースのユーザ認証システムおよび方法が提供される。
【図面の簡単な説明】
【０００７】
【図１】本発明による実施形態が適用されるシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態によるシステムのブロック・ダイアグラムの一例である。
【図７】本発明による実施形態によるシステムの機能ブロック図の一例である。
【図８】本発明による実施形態における基本的な動作の一例を表すフローチャートである。
【図９】本発明による実施形態における動作の一例を詳細に表したフローチャートである。
【発明を実施するための形態】
【０００８】
以下、適宜、図面を参照しながら一例としての実施の形態の説明を行う。図１は本実施の形態における携帯電話機ベースのユーザ認証システム全体の構成例である。システム１００は、コンピュータ・ネットワーク１０２として表されている分散コンピューティング環境を利用して具体化することができる。
【０００９】
コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはこれらの任意の組合せを含む任意のコンピュータ・ネットワークである。
【００１０】
また、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、上記のようにコンピュータ・ネットワーク１０２を示したが、これに限定されるものではなく、例えば、スタンドアローンの形態でも同様に実施可能である。
【００１１】
また、システム１００は、さらに、様々なドキュメント処理を実行するために適切な多機能周辺装置（Multi-Function Peripheral；以下、ＭＦＰ）として図に表されているドキュメント処理装置１０４を有する。ここで、ＭＦＰはドキュメント処理装置の一形態であって、本発明におけるドキュメント処理装置がＭＦＰに限定されるものではない。ドキュメント処理装置１０４は、例えば、ファクシミリ通信、画像走査、コピー、印刷、電子メール、ドキュメント管理、またはドキュメント保存等の処理を行う。また、例えば、ドキュメント処理装置１０４は、リモート・ドキュメント処理サービスを外部装置あるいはネットワークに接続された装置に対して提供する。ドキュメント処理装置１０４は、ユーザあるいはネットワークに接続された装置等とやり取りするように構成された、ハードウェア、ソフトウェアおよびこれらの任意の適切な組合せを含む。ドキュメント処理装置１０４の構成等については、後ほど図２および図３を参照しながら説明を行う。
【００１２】
また、ドキュメント処理装置１０４は、例えば、IEEE 1394あるいはＵＳＢインターフェイスを有する各種ドライブ、多様なＩＣメモリ・カード等の、複数のポータブル記憶媒体を受け入れるためのインターフェイスを備える。また、ドキュメント処理装置１０４は、例えば、タッチスクリーン、ＬＣＤ、タッチパネル、または英数字キーパッド等のユーザ・インターフェイス１０６を備える。ユーザは、ユーザ・インターフェイス１０６を介してドキュメント処理装置１０４と直接やり取りすることができる。
【００１３】
ユーザ・インターフェイス１０６は、ユーザに対して情報を伝達するとともに、ユーザから選択内容を受け取るために、有効に用いられる。ユーザ・インターフェイス１０６は、ユーザにデータを提供するために適切な種々のコンポーネントからなる。本発明における一実施形態において、ユーザ・インターフェイス１０６は、１または複数のグラフィック要素、テキスト・データ、または画像等をユーザに表示し、ユーザからの入力を受け取り、その入力を、後ほど説明するコントローラ１０８等のバックエンド・コンポーネントに伝達するディスプレイ装置を有する。
【００１４】
また、ドキュメント処理装置１０４は、適切な通信リンク１１２を介して、コンピュータ・ネットワーク１０２に通信可能に接続される。通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続または他の適切な有線または無線のデータ通信チャネルを用いることができる。
【００１５】
また、ドキュメント処理装置１０４は、ドキュメント処理装置１０４による処理動作を容易にする適切なバックエンド・コンポーネントとして、コントローラ１０８を内蔵する。
【００１６】
コントローラ１０８は、ドキュメント処理装置１０４の動作を制御し、あるいはユーザ・インターフェイス１０６を介した画像の表示を制御し、あるいは、電子画像データの操作を指示する等の処理を容易にするように構成されたハードウェア、ソフトウェアあるいはこれらの適切な組合せによって実装される。以下の説明において、ドキュメント処理装置１０４に関連する任意の多数のコンポーネントは、後に述べる動作を実行し、もしくは実行させ、もしくは制御し、または指示するように機能するハードウェアのコントローラ、ソフトウェア、またはこれらの組合せを含むものとする。尚、図および上記の説明において、コントローラ１０８をドキュメント処理装置１０４に内蔵された形態としたが、これに限定されるものではなく、コントローラ１０８は、ドキュメント処理装置１０４に通信可能に接続された外部装置の形態であってもよい。コントローラ１０８との関連において説明を行う処理動作は、本技術分野において知られている任意の汎用コンピューティング・システムによって実行可能である。したがって、コントローラ１０８は、そのような汎用的なコンピューティング装置を表しており、以下の説明において使用する際にも、そのように意図されている。また、以下の説明においてはコントローラ１０８を使用しているが、これは実施形態の例にすぎず、その他の実施形態においても、本発明による携帯電話機ベースのユーザ認証システムおよび方法を利用することができる。コントローラ１０８の構成等については、後ほど図４と図５を参照しながら説明を行う。
【００１７】
また、ドキュメント処理装置１０４にはデータ記憶装置１１０が通信可能に接続される。データ記憶装置１１０は、例えば、ハードディスク・ドライブ、その他の磁気記憶装置、光学式記憶装置、フラッシュ・メモリまたはこれらの任意の組合せを含む記憶装置である。データ記憶装置１１０は、データ・レコード、ユーザ情報、携帯電話機のデータ、予め設定された支払データ、ドキュメント・データ、画像データ、電子データベースのデータ、ドキュメント処理インストラクション、使用データ、ユーザ・インターフェイスのデータ、ジョブ制御データ、コントローラの状態データ、コンポーネント実行データ、広告、ユーザ情報、場所情報、出力テンプレート、マッピング・データ、マルチメディア・データ・ファイル、またはフォント等を適切に保存する。データ記憶装置１１０は、システム１００の独立したコンポーネントとして図１に例示されているが、例えば、内蔵ハードディスク・ドライブ等のような、ドキュメント処理装置１０４の内部記憶装置、あるいはコントローラ１０８に実装される記憶装置あるいはコンポーネントであってもよい。
【００１８】
システム１００は、ドキュメント処理装置１０４および実質的にコンピュータ・ネットワーク１０２に通信可能に接続されたキオスク１１４を、さらに、含む。キオスク１１４は、図に示したようにドキュメント処理装置１０４の独立したコンポーネントとして実装することができ、または対応するドキュメント処理装置１０４と一体のコンポーネントとして実装することもできる。キオスク１１４を使用することは実施形態の単なる例であり、本発明は、キオスク１１４を使用することなしに実施することもできる。キオスク１１４は、例えば、表示装置１１６と、ユーザ入力装置１１８とを備える。キオスク１１４は、タッチスクリーン・インターフェイス等の、ユーザ入力装置と表示装置との機能を組み合わせた装置を備えることもできる。キオスク１１４は、例えば、ユーザに指示を表示し、ユーザからドキュメント処理インストラクションを受け取り、ユーザから支払データを受け取り、およびユーザから選択データを受け取る等の機能を実行する。例えば、キオスク１１４は、クレジット・カード、クーポンまたはデビット・カード等から支払データを受け取り読み込むために適切な磁気カード・リーダまたはバーコード・リーダ等を含む。
【００１９】
また、システム１００は、キオスク１１４に接続され、無数の異なるポータブル記憶装置を受け入れアクセスするために適合したポータブル記憶装置の読取り装置１２０を含む。ポータブル記憶装置としては、例えば、本技術分野で知られているような、フラッシュ・メモリ・ベースの多様なＩＣメモリ・カード、ＣＤ−ＲＯＭ、ＤＶＤ−ＲＯＭ、ＵＳＢインターフェイスを有するフラッシュ・メモリ・ドライブ、または他の磁気記憶装置または光学記憶装置等がある。
【００２０】
システム１００は、さらに、通信リンク１２４を介してキオスク１１４とデータ通信を行うモバイル通信装置１２２を含む。図においては、モバイル通信装置１２２を、携帯電話機として示しているが、これは例示を目的としたものにすぎない。携帯電話機は、例えば、ＰＤＡ（Personal Digital Assistant、携帯情報端末）、ウェブ適合（web-enabled）携帯電話、スマート・フォン、専用通信ネットワーク用の電子装置、またはその他のウェブ適合電子装置を含む本技術分野において知られている任意のモバイル・パーソナル通信装置の代表である。
【００２１】
通信リンク１２４は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信チャネルを用いることができる。
【００２２】
モバイル通信装置１２２は、キオスク１１４もしくはドキュメント処理装置１０４に関連する他の適切なコンポーネント、またはコンピュータ・ネットワーク１０２に接続された任意のその他の類似装置との間で、テキスト・メッセージを送受信し、ユーザ情報およびパスワード・データを伝達し、状態データまたはジョブ・データを受信し、またはこれらに類似する動作を実行する。
【００２３】
システム１００は、通信リンク１３０を介してコンピュータ・ネットワーク１０２とデータ通信を行うサーバ１２６として示すバックエンド・コンポーネントをさらに含む。図においては、サーバ１２６がシステム１００のコンポーネントとして示されているが、本発明は、スタンドアローンのドキュメント処理装置１０４によっても具体化することができる。サーバ１２６は、１または複数のサービス、ウェブ・ベースのアプリケーション、およびストレージ・オプション等をネットワークに接続された装置に対して提供するために適切なハードウェア、ソフトウェアまたはこれらの組合せから構成される。例えば、サーバ１２６は、コンピュータ・ネットワーク１０２を介してアクセスされる、保護されたドキュメントおよびテキスト・データの保存の管理、検索と比較の実行、データ・レコードとアカウント情報の保守（maintaining）、支払データの受信、およびドキュメントの取得等を実行するためのハードウェア、ソフトウェア、またはこれらの組合せとして実装される様々なコンポーネントを含む。
【００２４】
通信リンク１３０は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信手段である。サーバ１２６との関連において記述されるコンポーネントは、例えば、コントローラ１０８等のコンピュータ・ネットワーク１０２に接続された任意の適切なコンピューティング装置に実装することができる。
【００２５】
また、サーバ１２６にはデータ記憶装置１２８が通信可能に接続される。データ記憶装置１２８は、例えば、ハードディスク・ドライブ、その他の磁気記憶装置、光学式記憶装置、フラッシュ・メモリまたはこれらの任意の組合せを含む記憶装置である。
【００２６】
このような形態において、データ記憶装置１２８は、ソフトウェア更新、保護された電子ドキュメント、テキスト・データ、データ・ストリング、アカウント情報、およびポリシー情報等を適切に保存する。データ記憶装置１２８は、システム１００の独立したコンポーネントとして図１に例示されているが、例えば、内蔵ハードディスク・ドライブ等のような、サーバ１２６の内部記憶装置に実装される記憶装置あるいはコンポーネントであってもよい。
【００２７】
次に、図２に、システム１００の動作が実行され、図１においてはドキュメント処理装置１０４として示した、ドキュメント処理装置２００のハードウェア・アーキテクチャの構成の一例を示す。ドキュメント処理装置２００は、少なくとも１つのＣＰＵから構成されるプロセッサ２０２を含む。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００２８】
また、ドキュメント処理装置２００は、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６を含む。ＲＡＭ２０６は、プロセッサ２０２によって処理されるアプリケーションおよびデータ処理に関係するデータ・インストラクションのための記憶領域を提供する。
【００２９】
ストレージ・インターフェイス２０８は、ドキュメント処理装置２００に関連するデータの不揮発性保存、大容量保存または長期的な保存のためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００３０】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との１または複数のコネクションを確立する。図においては、一例として、Ethernet（登録商標）およびトークン・リング等といった固定または有線ネットワークとのデータ通信のための少なくとも１つのネットワーク・インターフェイス・カード２１４と、WiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはこれらの組合せから適切に構成される物理的ネットワーク２２０を介したデータ交換を行うために、相互接続されている。
【００３１】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００３２】
ドキュメント処理装置２００における実行可能なインストラクションは、ワークステーション、他のドキュメント処理装置、またはその他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００３３】
また、１または複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８、およびファクシミリ・エンジン２４０との通信を容易にする。ドキュメント処理装置２００は、１または複数のドキュメント処理機能を適切に実行する。複数のドキュメント処理動作を実行するシステムは、通常、多機能周辺装置（ＭＦＰ）または多機能装置と呼ばれる。
【００３４】
次に、システム１００の動作が実行されるドキュメント処理装置３００の機能ブロック構成の一例を示す。図３は、ソフトウェアおよびオペレーティング・システム機能と関連して、図２に示したハードウェアの機能性を例示している。
【００３５】
ドキュメント処理装置３００は、１または複数のドキュメント処理動作を円滑に実行するドキュメント処理エンジン３０２を含む。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達される電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００３６】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、有形のドキュメントの画像走査は、ファクシミリ動作においても有効に機能する。
【００３７】
図３に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現する。
【００３８】
ドキュメント処理エンジン３０２は、１または複数のデバイス・ドライバ３１４と適切な通信を行う。デバイス・ドライバ３１４は、実際のドキュメント処理動作を実行するために、ドキュメント処理エンジン３０２と、１または複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１または複数のものが含まれる。これらの多様な装置は、ドキュメント処理エンジン３０２と関連する１または複数の対応したエンジンと結合されている。本発明においては、ドキュメント処理動作の任意のセットまたはサブセットが想定されている。複数の利用可能なドキュメント処理オプションを含むドキュメント処理装置は、前述したようにＭＦＰ等と呼ばれる。
【００３９】
次に、一例として、図４は、システム１００の動作が実行されるバックエンド・コンポーネント、すなわち、図１においてはコントローラ１０８として示したコントローラ４００のハードウェア・アーキテクチャの構成図の一例である。尚、図４では、コントローラのコンポーネントの意義をより明確にするため、参照符号４３２で表した、コントローラ以外のドキュメント処理装置のコンポーネントの一部を併せて示す。コントローラ４００は、本明細書に記載する動作を円滑に実行する能力を有する、本技術分野において知られている任意の汎用的なコンピューティング装置を表す。コントローラ４００には、少なくとも１つのＣＰＵを含むプロセッサ４０２が含まれる。プロセッサ４０２は、互いに協調して動作する複数のＣＰＵから構成されることもある。また、コントローラ４００には、ＢＩＯＳ機能、システム機能、システム構成データおよびコントローラ４００の動作に使用する他のルーチンもしくはデータ等の静的または固定的なデータ、あるいはインストラクションのために有効に使用される、不揮発性または読出し専用メモリ（ＲＯＭ）４０４が含まれる。
【００４０】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２により処理されるアプリケーションおよびデータ処理に関係するデータ・インストラクションのための記憶領域を提供する。
【００４１】
ストレージ・インターフェイス４０８は、コントローラ４００に関連するデータの不揮発性保存、大容量保存または長期的な保存のためのメカニズムを提供する。ストレージ・インターフェイス４０８は、参照符号４１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００４２】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との１または複数のコネクションのインターフェイスを適切にとる。例えば、図に示すように、Ethernet（登録商標）およびトークン・リング等の固定または有線ネットワークとのデータ通信のための少なくとも１つのネットワーク・インターフェイス・カード４１４と、WiFi（Wireless Fidelity）、WiMax、無線モデム、セルラ・ネットワークまたは適切な任意の無線通信システム等の手段を介した無線通信のために適切な無線インターフェイス４１８が接続される。また、ネットワーク・インターフェイス・サブシステム４１０は、任意の物理的データ転送レイヤあるいは物理的データ転送レイヤではないデータ転送レイヤまたはプロトコル・レイヤを適切に利用する。図に示すように、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続される。
【００４３】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００４４】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図４に示したコントローラ４００（図１においてはコントローラ１０８として示されている。）を含む、ドキュメント処理装置１０４等の適切なドキュメント処理装置において実行される。
【００４５】
次に、一例として、システム１００の動作が実行されるコントローラの機能ブロックと動作の概要を説明する。図５において、ソフトウェアおよびオペレーティング・システム機能と関連して、図４に示したハードウェアの機能性を例示する。尚、図５においても、コントローラの機能要素の意義をより明確にするため、コントローラ以外のドキュメント処理装置の機能要素の一部を併せて示している。
【００４６】
図５に示すように、コントローラ機能は、ドキュメント処理エンジン５０２を有する。ドキュメント処理エンジン５０２は、印刷動作、コピー動作、ファクシミリ通信動作および画像走査動作を可能にする。これらの機能は、産業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００４７】
ドキュメント処理エンジン５０２はユーザ・インターフェイス・パネル５１０と適切にインターフェイスされており、ユーザまたは管理者は、このユーザ・インターフェイス・パネル５１０を介して、ドキュメント処理エンジン５０２によって制御される機能にアクセスすることができる。アクセスは、コントローラにローカル接続されたインターフェイスを介して行われるか、遠隔のシン・クライアント（thin client）またはシック・クライアント（thick client）によって遠隔から行われる。
【００４８】
ドキュメント処理エンジン５０２は、印刷機能部５０４、ファクシミリ通信機能部５０６および画像走査機能部５０８とデータ通信を行う。これらの機能部５０４、５０６、５０８は、印刷、ファクシミリの送受信、およびドキュメント画像をコピーのために取得するか、またはドキュメント画像の電子バージョンを生成するための、ドキュメント画像走査の実際の処理動作を容易にする。
【００４９】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００５０】
ジョブ・キュー５１２は、また、ネットワーク・サービス機能部５１４ともデータ通信を行う。一実施形態において、ジョブ制御信号、状態データまたは電子ドキュメント・データが、ジョブ・キュー５１２とネットワーク・サービス機能部５１４との間で交換される。このように、クライアント側ネットワーク・サービス機能５２０を介したコントローラ機能へのネットワーク・ベースのアクセスに適切なインターフェイスが提供され、このインターフェイスは任意の適切なシン・クライアントまたはシック・クライアントである。また、ウェブ・サービス・アクセスは、例えば、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メール、またはテルネット（TELNET）等を介した通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報のやり取りを容易にする。
【００５１】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００５２】
さらに、ジョブ・キュー５１２はジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００５３】
次に図６に、本発明の一実施形態による携帯電話機ベースのユーザ認証システム６００のブロック・ダイアグラムの一例を示す。システム６００は、複数のデータ・レコード６０４を保存するデータ記憶部６０２を含む。データ記憶部６０２に保存されているデータ・レコードは、携帯電話番号と、その携帯電話番号に関連付けられ予め設定された支払方法に対応する支払データを含む。また、システム６００は、ドキュメント処理装置１０４に関連するユーザ・インターフェイス１０６またはキオスク１１４等のユーザ・インターフェイス６０６をも含む。ユーザに関連する携帯電話番号を含むログイン・データ６０８は、ユーザ・インターフェイス６０６を介して、取得される。ユーザ・インターフェイス６０６を介して取得されたログイン・データ６０８に対応するデータ・レコード６０４の存在を求めて、比較器６１０がデータ記憶部６０２を検索する。例えば、比較器６１０は、取得されたログイン・データ６０８に関連する携帯電話番号に対応する携帯電話番号を含むデータ・レコード６０４について、データ記憶部６０２を検索する。
【００５４】
比較器６１０が、ログイン・データ６０８に対応するデータ・レコード６０４がデータ記憶部内に存在すると判定した場合、比較器６１０の出力によってシステム開始メカニズム６１２が動作可能状態となる。システム６００は、データ通信部６１４をさらに含み、データ通信部は、ログイン・データ６０８に含まれる携帯電話番号に対応する携帯電話機６１６へのデータ・メッセージを送信する。データ通信部６１４からのデータ・メッセージに応答して、確認データ６１８が携帯電話機６１６から受信される。受信された確認データ６１８にしたがって、ドキュメント処理部６２０は、関連するドキュメント処理装置１０４の動作を進行させるように動作する。
【００５５】
次に図７に、本発明の一実施形態による携帯電話機ベースのユーザ認証システムの機能ブロック図の一例を示す。データ記憶部７０４は、複数のデータ・レコード７０２を保存する。複数のデータ・レコード７０２は、それぞれ、携帯電話番号と、その携帯電話番号に関連する予め設定された支払方法に対応する支払データを含む。図１においてはドキュメント処理装置１０４として示したドキュメント処理装置７１０に関連するユーザ・インターフェイス（図１においてはユーザ・インターフェイス１０６またはキオスク１１４として示した）を介して、ログイン・データ７０６が、ユーザから受け取られる。ログイン・データ７０６は、例えば、ユーザに関連する携帯電話機７１４の電話番号を含む。テスト部７０８は、受け取られたログイン・データ７０６と、データ記憶部７０４に保存されているデータ・レコード７０２についてテストを実行し、受け取られたログイン・データ７０６に含まれる携帯電話番号に対応する携帯電話番号を含むデータ・レコード７０２が、データ記憶部７０４に保存されているか否かが判定される。
【００５６】
テスト部７０８によって、受け取られたログイン・データ７０６に対応するデータ・レコード７０２がデータ記憶部７０４内に存在すると判定されると、ドキュメント処理装置７１０の操作の受取りが開始される。また、データ・メッセージ７１２が、ログイン・データ７０６および対応するデータ・レコード７０２に含まれる電話番号に関連する携帯電話機７１４に対して伝達される。データ・メッセージ７１２を受信した携帯電話機７１４は、ドキュメント処理装置７１０に確認データ７１６を伝達し、ドキュメント処理装置７１０は、受信された確認データ７１６にしたがって、ドキュメント処理動作を実行する。
【００５７】
次に、本発明における動作の概要の一例を、フローチャートを参照しながら説明する。図８は、本実施の形態における基本的な動作の一例を示すフローチャートである。先ず、Ｓ８０２において、複数のデータ・レコードが、例えば、ドキュメント処理装置１０４に関連するデータ記憶装置１１０、およびバックエンド・サーバ１２６に関連するデータ記憶装置１２８等のデータ記憶装置に保存される。例えば、それぞれのデータ・レコードは、ユーザに関連する携帯電話番号と、この電話番号に関連する予め設定された支払方法に対応する支払データを含む。
【００５８】
Ｓ８０４において、ログイン・データが、ドキュメント処理装置１０４に関連するユーザ・インターフェイス１０６またはキオスク１１４等を介して、ユーザから受け取られる。一実施形態において、ログイン・データは、ユーザに関連する携帯電話機１２２の電話番号を含む。次いでＳ８０６において、ドキュメント処理装置１０４もしくはキオスク１１４等に関連するコントローラ１０８あるいは他の適切なコンポーネントは、ユーザから受け取られたログイン・データに対応するデータ・レコードがデータ記憶装置１１０に存在するか否かをテストする。一実施形態において、データ・レコードがコンピュータ・ネットワーク１０２を介してデータ記憶装置１２８に保存されている場合には、このようなテストはサーバ１２６によって実行することができる。
【００５９】
受け取られたログイン・データに対応するデータ・レコードがデータ記憶装置１１０に存在するとテストにおいて判定された後、Ｓ８０８において、ドキュメント処理装置１０４の操作の受取りが開始される。次いでＳ８１０において、コントローラ１０８もしくはドキュメント処理装置１０４に関連する他の適切なコンポーネントから、ログイン・データに含まれる電話番号に対応する携帯電話機１２２に対して、データ・メッセージが送信される。ドキュメント処理装置１０４から携帯電話機１２２に対する通信は、コンピュータ・ネットワーク１０２または公衆交換電話ネットワーク等を介して、実行することができる。一実施形態によれば、データ・メッセージは、本技術分野において知られているように、ＳＭＳテキスト・メッセージ、電子メール・メッセージ、またはその他の適切なメッセージ・フォーマットである。
【００６０】
次いでＳ８１２において、コントローラ１０８もしくはドキュメント処理装置１０４に関連する他の適切なコンポーネントは、Ｓ８１０で伝達したデータ・メッセージに対する応答として、携帯電話機１２２から確認データを受信する。確認データは、例えば、受信されたメッセージに対する携帯電話機１２２からの回答、ドキュメント処理装置１０４に関連する所定の電話番号に対する新たなメッセージ、またはドキュメント処理装置１０４に伝達される電子メール・メッセージ等を含む。次いでＳ８１４において、ドキュメント処理装置１０４は、受信された確認データにしたがって動作を実行する。
【００６１】
さらに、本発明における動作の一例について図９のフローチャートを用いて詳述する。先ずＳ９０２において、携帯電話番号および予め設定された支払方法の情報をそれぞれ含む複数のデータ・レコードが、データ記憶装置１１０またはデータ記憶装置１２８等のデータ記憶装置に保存される。予め設定された支払方法の情報としては、例えば、クレジット・カード、デビット・カード、前払口座、および請求先口座等がある。Ｓ９０４において、ログイン・データが、ユーザ・インターフェイス１０６またはキオスク１１４等を介して、コントローラ１０８もしくはドキュメント処理装置１０４に関連する他の適切なコンポーネントによって、ユーザから受け取られる。一実施形態において、ログイン・データは、ユーザに関連する携帯電話機１２２の電話番号を含む。
【００６２】
Ｓ９０６において、コントローラ１０８もしくはドキュメント処理装置１０４に関連する他の適切なコンポーネントは、受け取ったログイン・データに含まれる携帯電話番号と同一の携帯電話番号を含むデータ・レコードがデータ記憶装置１１０または１２８に保存されているか否かをテストする。データ・レコードがサーバ１２６に接続されたデータ記憶装置１２８に保存されている場合には、コントローラ１０８もしくはドキュメント処理装置１０４に関連する他の適切なコンポーネントは、受け取ったログイン・データを、テストのために、サーバ１２６に伝達する。Ｓ９０８において、ログイン・データ含まれる携帯電話番号と同一の携帯電話番号を含むデータ・レコードが、データ記憶装置１１０または１２８に保存されているか否かに関する判定が実行される。
【００６３】
整合するデータ・レコードが検出されない場合には、処理はＳ９１０に進み、エラーが、ユーザ・インターフェイス１０６またはキオスク１１４を介して、ユーザに表示される。次いでＳ９１２において、例えば、新たな携帯電話番号等を含む新しいログイン・データが、ユーザによって提供されたか否かに関する判定が行われる。更新されたログイン・データが受け取られていない場合には、Ｓ９２６においてドキュメント処理装置１０４の動作が拒絶された後、処理は終了する。
【００６４】
Ｓ９０８において整合するデータ・レコードが検出されたと判定された場合には、処理はＳ９１４に進み、ドキュメント処理装置１０４の操作の受取りが開始される。すなわち、ユーザは、ドキュメント処理装置１０４によって実行される所望のドキュメント処理動作を選択することができる。ユーザによって所望のドキュメント処理動作が選択されると、Ｓ９１６において、選択されたドキュメント処理動作に関連する料金に対応するコスト・データが、コントローラ１０８もしくはドキュメント処理装置１０４に関連する他の適切なコンポーネントによって生成される。次いでＳ９１８において、生成されたコスト・データを含むデータ・メッセージが、データ・レコードに含まれる携帯電話番号に対応する携帯電話機に対して伝達される。一実施形態によれば、コントローラ１０８もしくはドキュメント処理装置１０４に関連する他の適切なコンポーネントは、選択されたドキュメント処理動作の詳細およびその処理動作の実行に関連する料金を含む、テキスト・メッセージを携帯電話機１２２に対して伝達する。
【００６５】
次いでＳ９２０において、データ・メッセージに応答する確認データが携帯電話機１２２から受信される。すなわち、コントローラ１０８もしくはドキュメント処理装置１０４に関連する他の適切なコンポーネントは、料金の確認を示す回答テキスト・メッセージ等を携帯電話機１２２から受信する。Ｓ９２２において、コントローラ１０８もしくはドキュメント処理装置１０４に関連する他の適切なコンポーネントは、電話番号または確認データのデータ・コンテンツによって、受信された確認データの信憑性を検証する。次いでＳ９２４において、受信された確認データが検証されたか否かに関する判定が行われる。確認データが検証されない場合には、処理はＳ９２６に進み、ユーザのためのドキュメント処理装置１０４の動作が拒絶される。
【００６６】
Ｓ９２４において確認データの信憑性が検証されたと判定されると、処理はＳ９２８に進む。Ｓ９２８において、ドキュメント処理装置１０４は、携帯電話機１２２から受信された確認データにしたがって、選択されたドキュメント処理動作を実行する。この後、Ｓ９３０において、ドキュメント処理装置１０４に関連するコントローラ１０８もしくは他の適切なコンポーネント、あるいはサーバ１２６等は、例えば、クレジット・カード、デビット・カード、または前払口座等の、予め設定された支払方法にしたがって料金を課金する。
【００６７】
以上の説明から明らかなように、本発明によれば、携帯電話機ベースのユーザ認証システムおよび方法が提供される。上記の実施の形態によれば、ログイン・データとして携帯電話機の電話番号を用いるため、ドキュメント処理装置にアクセスするため、ユーザが記憶しなければならないログイン・シーケンスの数を低減することが可能となる。また、ドキュメント処理装置の動作に関連する支払に関して、携帯電話機を用いた確認を行うため、安全な決済が可能となる。この携帯電話機ベースのユーザ認証システムおよび方法の技術的思想は、製品またはサービスの販売のための任意の装置、特に、料金を必要とするシステムおよび方法に適用可能である。
【００６８】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、例えば、通信、汎用コンピューティング、データ処理、財務トランザクション、製品またはサービスの販売等を含む、ユーザ認証を利用する複数の様々な分野に対しても適用可能であり、本発明がドキュメント処理への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【符号の説明】
【００６９】
１００  システム
１０２  コンピュータ・ネットワーク、分散通信システム
１０４  ドキュメント処理装置、ＭＦＰ
１０６  ユーザ・インターフェイス
１０８  コントローラ
１１０、１２８  データ記憶装置
１１２、１２４、１３０  通信リンク
１１４  キオスク
１１６  表示装置
１１８  ユーザ入力装置
１２０  ポータブル記憶装置の読取り装置
１２２  モバイル通信装置、携帯電話機
１２６  サーバ、バックエンド・サーバ
２００、３００  ドキュメント処理装置
２０２、４０２  プロセッサ
２０４、４０４  読出し専用メモリ、ＲＯＭ
２０６、４０６  ＲＡＭ
２０８、４０８  ストレージ・インターフェイス
２１０、４１０  ネットワーク・インターフェイス・サブシステム
２１２、４１２  バス
２１４、３１６、４１４  ネットワーク・インターフェイス・カード
２１６、４１６  ディスク・ドライブ
２１８、４１８  無線インターフェイス
２２０、４２０  物理的ネットワーク
２２２  オプションの入出力インターフェイス
２２４  ユーザ入出力パネル
２２６  印刷インターフェイス
２２８  コピー・インターフェイス
２３０  画像走査インターフェイス
２３２  ファクシミリ・インターフェイス
２３４、３０４  印刷エンジン
２３６  コピー・エンジン
２３８、３０８  画像走査エンジン
２４０、３０６  ファクシミリ・エンジン
３１０  コンソール・パネル
３１４  デバイス・ドライバ
３１８、３２０、３２２、３２４、３２６  ドライバ
４００  コントローラ
４２２  ドキュメント・プロセッサ・インターフェイス
４２４  コピー・ハードウェア
４２６  画像走査ハードウェア
４２８  印刷ハードウェア
４３０  ファクシミリ・ハードウェア
４３２  ドキュメント処理ハードウェア
５０２、３０２  ドキュメント処理エンジン
５０４  印刷機能部
５０６  ファクシミリ通信機能部
５０８  画像走査機能部
５１０  ユーザ・インターフェイス・パネル
５１２  ジョブ・キュー
５１４  ネットワーク・サービス機能部
５１６  画像プロセッサ
５１８  ジョブ解析部
５２０  クライアント側ネットワーク・サービス機能
５２２  クライアント装置サービス部
【図１】
2010044754.tif 000003
【図２】
2010044754.tif 000004
【図３】
2010044754.tif 000005
【図４】
2010044754.tif 000006
【図５】
2010044754.tif 000007
【図６】
2010044754.tif 000008
【図７】
2010044754.tif 000009
【図８】
2010044754.tif 000010
【図９】
2010044754.tif 000011